(57)【要約】【課題】  それぞれの画像形成装置の特性に合わせたそれぞれの描画を行い、出力するデータを実際に最速で出力可能なプリンタ、あるいは高画質なプリンタなど、用途に応じて効率的な出力を提供する。【解決手段】  ドキュメントサーバにカラーまたは、白黒あるいは、複数台の画像形成装置を接続し、ドキュメントサーバが接続されるプリンタの特性や能力を把握し、出力されるデータの特性に合ったプリンタの自動選択を行う。【選択図】  図１
2007026175.tif 000002
【特許請求の範囲】
【請求項１】
ネットワークに接続されたサーバとクライアントコンピュータ、
前記ネットワークまたは、前記サーバに接続された少なくとも２種類以上の異なるタイプの画像形成装置とから成る画像形成システムにおいて、
前記サーバにジョブを入力する手段と、
前記入力されたジョブを、前記画像形成装置に分配するジョブ分配手段と、
前記分配されたジョブをそれぞれRIP(Rasterize Image Processing)処理する前記画像形成装置とを有し、
サーバ内に前記画像形成装置の出力能力に関する少なくとも２つ以上の指標をもち、各々の指標毎に前記画像形成装置を順位付けして管理することを特徴とする画像形成システム。
【請求項２】
ネットワークに接続されたサーバとクライアントコンピュータ、
前記ネットワークまたは、前記サーバに接続された少なくとも２種類以上の異なるタイプの画像形成装置とから成る画像形成システムにおいて、
前記サーバにジョブを入力する手段と、
前記入力されたジョブを、前記画像形成装置に分配するジョブ分配手段と、
前記分配されたジョブをそれぞれRIP(Rasterize Image Processing)処理する前記画像形成装置とを有し、
サーバ内に前記画像形成装置の出力能力に関する少なくとも２つ以上の指標をもち、各々の指標毎に前記画像形成装置を順位付けして管理すると共に、その指標に従い、前記画像形成装置にジョブ分配を行うことを特徴とする画像形成システム。
【請求項３】
請求項１に記載の画像形成システムにおいて、サーバー内の前記画像形成装置の出力能力に関する少なくとも２つ以上の指標をもち、各々の指標毎の前記画像形成装置の順位付けをユーザにへよって変更可能とすることを特徴とする画像形成システム。
【請求項４】
請求項１に記載の画像形成システムにおいて、サーバー内の前記画像形成装置の出力能力に関する少なくとも２つ以上の指標のうち何を優先するかをクライアントＰＣから選択可能とする画像形成システム。
【請求項５】
請求項１に記載の画像形成システムにおいて、サーバー内の前記画像形成装置の出力能力に関する少なくとも２つ以上の指標は、少なくともプリント速度と画質を含むことを特徴とする画像形成システム。
【発明の詳細な説明】
【技術分野】
【０００１】
本発明は、ドキュメントサーバとクライアント及び、画像形成装置からなる画像形成システムに関するものである。
【背景技術】
【０００２】
従来から、画像形成を行うに当たり、ユーザはコンピュータ上から所望のプリンタを選択し、LANなどの公衆回線や専用のインターフェイスを経由して、所望のジョブを選択したプリンタにプリントさせていた。
【０００３】
また、サーバ、クライアント方式と呼ばれ、クライアントユーザのジョブがドキュメントサーバを経由して、プリンタに送られる方式も広く知られている。
【０００４】
又、別の従来例としては、特許文献１及び特許文献２をあげることが出来る。
【特許文献１】特開２００１−２４９７８２号公報
【特許文献２】特開２００２−００７０９０号公報
【発明の開示】
【発明が解決しようとする課題】
【０００５】
しかしながら、近年プリント・オン・ディマンドといわれる軽印刷の市場において、コンピュータから画像形成装置に大量のジョブをプリントする機会が増加しており、大量のジョブをいかに安く、いかに効率よくプリントするかが求められている。
【０００６】
そのためには、出力するデータを実際に最速で出力可能なプリンタあるいは高画質なプリンタなど用途に応じて効率的な出力が求められる。
【課題を解決するための手段】
【０００７】
本発明は、ドキュメントサーバにカラー/白黒あるいは、複数台の画像形成装置を接続し、ドキュメントサーバが接続されるプリンタの特性/能力を把握し、出力されるデータの特性に合ったプリンタの自動選択を行うことにより、それぞれの画像形成装置の特性に合わせたそれぞれのRIPを行い、出力するデータを実際に最速で出力可能なプリンタあるいは高画質なプリンタなど用途に応じて効率的な出力を提供するものである。
【発明の効果】
【０００８】
以上説明したように、本発明によれば、ドキュメントサーバに複数台の画像形成装置を接続し、ドキュメントサーバが接続されるプリンタの特性/能力を把握し、出力されるデータにたいするユーザのニーズに合ったプリンタの自動選択を行うことにより、それぞれの画像形成装置の特性に合わせたそれぞれのRIPを行い、効率的な出力を提供することが可能となる。
【発明を実施するための最良の形態】
【０００９】
次に、本発明の詳細を実施例の記述に従って説明する。
【実施例１】
【００１０】
〔システムの概要説明〕
図1は、本発明の実施形システムの概観図であり、従来例の図２７と比較して描かれている。
【００１１】
図１はパフォーマンスを優先するために図２７のネットワーク101を２系統に
分割し、パブリックネットワーク101a及び、プライベートネットワーク101bと呼ぶこととする。
【００１２】
ドキュメントサーバ102には、ハードウェア上２系統のネットワークインターフェイスカード(NIC)を有しており、一方はパブリックネットワーク101a側につながるNIC111、もう一方はプリンタ側に接続するプライベートネットワーク101b側に接続されたNIC112が存在する。
【００１３】
コンピュータ103a,103b及び103cはドキュメントサーバにジョブを送るクライアントである。図示されていないがクライアントはこれらのほかにも多数接続されている。以下クライアントを代表して103と表記する。
【００１４】
更にプライベートネットワーク101bにはMFP(Multi  Function  Peripheral：マルチファンクション周辺機器)105及びプリンタ107が接続されている。105はモノクロにてスキャン、プリントまたは、低解像度や２値の簡易的なカラースキャン、カラープリントなどを行うMFPである。また、図示していないがプライベートネットワーク101b上には上記以外のMFPを初め、スキャナ、プリンタあるいは、FAXなどその他の機器も接続されている。
【００１５】
MFP104は高解像度、高階調のフルカラーでスキャンまたは、プリントなどが可能なフルカラーMFPであり、プライベートネットワーク101bに接続してデータの送受を行ってもよいが、データ量が膨大となるためここでは、独立したインターフェイスで複数ビットを同時に送受できるものとし、ドキュメントサーバ102とは、独自のインターフェイスカード113にて接続されている。
【００１６】
また、スキャナ106は紙ドキュメントからの画像イメージを取り込む装置で、SCSIインターフェイスで接続される106bと、パブリックネットワーク101a(または、プライベートネットワーク101b)に接続される106aの２タイプがある。
【００１７】
次に、ドキュメントサーバ102のハードウェアの構成は、CPUやメモリなどが搭載されたマザーボード110と呼ばれる部分にPCIバスと呼ばれるインターフェイスで前述のNIC(Network Interface Card)111,112や、専用I/Fカード113、あるいは、SCSIカード114などが接続されている。
【００１８】
ここで、クライアントコンピュータ103上では、いわゆるDTP(Desk  Top  Publishing)を実行するアプリケーションソフトウェアを動作させ、各種文書/図形が作成/編集される。クライアントコンピュータ103は作成された文書/図形をページ記述言語(Page Description Language)に変換し、ネットワーク101aを経由してMFP104や105に送られてプリントアウトされる。
【００１９】
MFP104,105はそれぞれ、ドキュメントサーバ102とネットワーク101bまたは、専用インターフェイス109を介して情報交換できる通信手段を有しており、MFP104,105の情報や状態をドキュメントサーバ102、あるいは、それを経由してクライアントコンピュータ103側に逐次知らせる仕組みとなっている。更に、ドキュメントサーバ102(あるいはクライアント103)は、その情報を受けて動作するユーティリティソフトウェアを持っており、MFP104,105はコンピュータ102(あるいはクライアント103)により管理される。
【００２０】
〔MFP104,105の構成〕
次に、図２〜図１１を用いてMFP104,105の構成について説明する。但し、MFP104とMFP105の差はフルカラーとモノクロの差であり、色処理以外の部分ではフルカラー機器がモノクロ機器の構成を包含することが多いため、ここではフルカラー機器に絞って説明し、必要に応じて、随時モノクロ機器の説明を加えることとする。
【００２１】
MFP104,105は、画像読み取りを行うスキャナ部201とその画像データを画像処理するスキャナIP部202、ファクシミリなどに代表される電話回線を利用した画像の送受信を行うFAX部203、更に、ネットワークを利用して画像データや装置情報をやりとりするNIC(Network  Interface  Card：ネットワークインターフェイスカード)部分204と、フルカラーMFP104との情報交換を行う専用I/F部205がある。そして、MFP104,105の使い方に応じてコア部206で画像信号を一時保存したり、経路を決定する。
【００２２】
次に、コア部206から出力された画像データは、プリンタIP部207及び、PWM部208を経由して画像形成を行うプリンタ部209に送られる。プリンタ部209でプリントアウトされたシートはフィニッシャ部210へ送り込まれ、シートの仕分け処理やシートの仕上げ処理が行われる。
【００２３】
〔スキャナ部201の構成〕
図3を用いてスキャナ部201の構成を説明する。301は原稿台ガラスであり、読み取られるべき原稿302が置かれる。原稿302は照明ランプ303により照射され、その反射光はミラー304、305、306を経て、レンズ307によりCCD308上に結像される。ミラー304、照明ランプ303を含む第1ミラーユニット310は速度vで移動し、ミラー305、306を含む第2ミラーユニット311は速度1/2vで移動することにより、原稿302の全面を走査する。第1ミラーユニット310及び第2ミラーユニット311はモータ309により駆動する。
【００２４】
〔スキャナIP部202の構成〕
図4−（１）を用いてスキャナIP部202について説明する。入力された光学的信号は、CCDセンサ308により電気信号に変換される。このCCDセンサ308はRGB3ラインのカラーセンサであり、RGBそれぞれの画像信号としてA/D変換部401に入力される。ここでゲイン調整、オフセット調整をされた後、A/Dコンバータで、各色信号毎に8bitのデジタル画像信号R0,G0,B0に変換される。その後、402のシェーディング補正で色ごとに、基準白色板の読み取り信号を用いた、公知のシェーディング補正が施される。更に、CCDセンサ308の各色ラインセンサは、相互に所定の距離を隔てて配置されているため、ラインディレイ調整回路（ライン補間部）403において、副走査方向の空間的ずれが補正される。
【００２５】
次に、入力マスキング部404は、CCDセンサ308のR,G,Bフィルタの分光特性で決まる読取色空間を、NTSCの標準色空間に変換する部分であり、CCDセンサ308の感度特性/照明ランプのスペクトル特性等の諸特性を考慮した装置固有の定数を用いた3×3のマトリックス演算を行い、入力された(R0,G0,B0)信号を標準的な(R,G,B)信号に変換する。
【００２６】
更に、輝度/濃度変換部（LOG変換部）405はルックアップテーブル（LUT）RAMにより、構成され、RGBの輝度信号がC1,M1,Y1の濃度信号になるように変換される。
【００２７】
MFP105によりモノクロの画像処理を行う場合には、図４−（２）に従って、単色の１ラインCCDセンサ308を用いて、単色でA/D変換401及び、シェーディング402を行ったのちコア部206に送られる。
【００２８】
〔FAX部203の構成〕
図5を用いてFAX部203について説明する。まず、受信時には、電話回線から来たデータをNCU部501で受け取り電圧の変換を行い、モデム部502の中の復調部504でA/D変換及び復調操作を行った後、伸張部506でラスタデータに展開する。一般にFAXでの圧縮伸張にはランレングス法などが用いられる。ラスタデータに変換された画像は、メモリ部507に一時保管され、画像データに転送エラーがないことを確認後、コア部206へ送られる。
【００２９】
次に、送信時には、コア部よりやってきたラスタイメージの画像信号に対して、圧縮部505でランレングス法などの圧縮を施し、モデム部502内の変調部503にてD/A変換及び変調操作を行った後、NCU部501を介して電話回線へと送られる。
【００３０】
〔NIC部204の構成〕
図６（ａ）、図６（ｂ）を用いてNIC部204について説明する。ネットワーク101に対してのインターフェイスの機能を持つのが、このNIC部204であり、例えば10Base-T/100Base-TXなどのEthernet（登録商標）ケーブルなどを利用して外部からの情報を入手したり、外部へ情報を流す役割を果たす。
【００３１】
外部より情報を入手する場合は、まず、トランス部601で電圧変換され、602のLANコントローラ部に送られる。LANコントローラ部602は、その内部に第1バッファメモリ(不図示)を持っており、その情報が必要な情報か否かを判断した上で、第2バッファメモリ(不図示)に送った後、コア部206に信号を流す。
【００３２】
次に、外部に情報を提供する場合には、コア部206より送られてきたデータは、LANコントローラ部602で必要な情報を付加して、トランス部601を経由してネットワーク101に接続される。
【００３３】
〔専用I/F部205の構成〕
また、専用I/F部205は、フルカラーMFP104とのインターフェイス部分でCMYKそれぞれ多値ビットがパラレルに送られているインターフェイスであり、４色x８bitの画像データと通信線からなる。もし、Ethernet（登録商標）ケーブルを利用して送信すると、MFP104に見合ったスピードで出力できない点と、ネットワークに接続された他のデバイスのパフォーマンスも犠牲になる点からこのような専用のパラレルインターフェイスを用いている。
【００３４】
〔コア部206の構成〕
図７の（ａ）、図７の（ｂ）を用いてコア部206について説明する。コア部206のバスセレクタ部611は、MFP104,105の利用における、いわば交通整理の役割を担っている。すなわち、複写機能、ネットワークスキャン、ネットワークプリント、ファクシミリ送信/受信、あるいは、ディスプレイ表示などMFP104,105における各種機能に応じてバスの切り替えを行うところである。
【００３５】
以下に各機能を実行するためのパス切り替えパターンを示す。
【００３６】
・複写機能：スキャナ201→コア206→プリンタ209
・ネットワークスキャン：スキャナ201→コア206→ＮＩＣ部204
・ネットワークプリント：ＮＩＣ部204→コア206→プリンタ209
・ファクシミリ送信機能：スキャナ201→コア206→ＦＡＸ部203
・ファクシミリ受信機能：ＦＡＸ部203→コア206→プリンタ209
次に、バスセレクタ部611を出た画像データは、圧縮部612、ハードディスク(HDD)などの大容量メモリからなるメモリ部613及び、伸張部614を介してプリンタ部209へ送られる。圧縮部612で用いられる圧縮方式は、JPEG,JBIG,ZIPなど一般的なものを用いればよい。圧縮された画像データは、ジョブ毎に管理され、ファイル名、作成者、作成日時、ファイルサイズなどの付加データと一緒に格納される。
【００３７】
更に、ジョブの番号とパスワードを設けて、それらも一緒に格納すれば、パーソナルボックス機能をサポートすることができる。これは、データの一時保存や特定の人にしかプリントアウト(HDDからの読み出し)ができない様にするための機能である。記憶されているジョブのプリントアウトの指示が行われた場合には、パスワードによる認証を行った後にメモリ部613より呼び出し、画像伸張を行ってラスタイメージに戻してプリンタ部207に送られる。
【００３８】
〔プリンタIP部207の構成〕
701は出力マスキング/UCR回路部であり、M1,C1,Y1信号を画像形成装置のトナー色であるY,M,C,K信号にマトリクス演算を用いて変換する部分であり、CCDセンサ308で読み込まれたRGB信号に基づいたC1,M1,Y1,K1信号をトナーの分光分布特性に基づいたC,M,Y,K信号に補正して出力する。
【００３９】
次に、ガンマ補正部702にて、トナーの色味諸特性を考慮したルックアップテーブル（LUT）RAMを使って画像出力のためのC,M,Y,Kデータに変換されて、空間フィルタ703では、シャープネスまたは、スムージングが施された後、画像信号はコア部206へと送られる。
【００４０】
〔PWM部208の構成〕
図8によりPWM部208を説明する。プリンタIP部207を出たイエロー(Y)、マゼンタ(M)、シアン(C)、ブラック(K)の4色に色分解された画像データ(MFP105の場合は、単色となる)はそれぞれのPWM部208を通ってそれぞれ画像形成される。801は三角波発生部、802は入力されるデジタル画像信号をアナログ信号に変換するD/Aコンバータ（D/A変換部）である。三角波発生部801からの信号（図8(2a））及びD/Aコンバータ802からの信号（図8(2b））は、コンパレータ803で大小比較されて、図8(2c)のような信号となってレーザ駆動部804に送られ、CMYKそれぞれが、CMYKそれぞれのレーザ805でレーザビームに変換される。
【００４１】
そして、ポリゴンスキャナ913で、それぞれのレーザビームを走査して、それぞれの感光ドラム917,921,925,929に照射される。
【００４２】
〔プリンタ部209の構成(カラーMFP104の場合)〕
図９に、カラープリンタ部の概観図を示す。913は、ポリゴンミラーであり、4つの半導体レーザ805より発光された4本のレーザ光を受ける。その内の1本はミラー914、915、916をへて感光ドラム917を走査し、次の1本はミラー918、919、920をへて感光ドラム921を走査し、次の1本はミラー922、923、924をへて感光ドラム925を走査し、次の1本はミラー926、927、928をへて感光ドラム929を走査する。
【００４３】
一方、930はイエロー(Y)のトナーを供給する現像器であり、レーザ光に従い、感光ドラム917上にイエローのトナー像を形成し、931はマゼンタ(M)のトナーを供給する現像器であり、レーザ光に従い、感光ドラム921上にマゼンタのトナー像を形成し、932はシアン(C)のトナーを供給する現像器であり、レーザ光に従い、感光ドラム925上にシアンのトナー像を形成し、933はブラック(K)のトナーを供給する現像器であり、レーザ光に従い、感光ドラム929上にマゼンタのトナー像を形成する。以上4色(Y,M,C,K)のトナー像がシートに転写され、フルカラーの出力画像を得ることができる。
【００４４】
シートカセット934、935および、手差しトレイ936のいずれかより給紙されたシートは、レジストローラ937を経て、転写ベルト938上に吸着され、搬送される。給紙のタイミングと同期がとられて、予め感光ドラム917、921、925、929には各色のトナーが現像されており、シートの搬送とともに、トナーがシートに転写される。各色のトナーが転写されたシートは、分離され、搬送ベルト939により搬送され、定着器940によって、トナーがシートに定着される。定着器940を抜けたシートはフラッパ950により一旦下方向へ導かれてシートの後端がフラッパ950を抜けた後、スイッチバックさせて排出する。これによりフェイスダウン状態で排出され、先頭頁から順にプリントしたときに正しいページ順となる。
【００４５】
なお、4つの感光ドラム917、921、925、929は、距離dをおいて、等間隔に配置されており、搬送ベルト939により、シートは一定速度vで搬送されており、このタイミング同期がなされて、4つの半導体レーザ805は駆動される。
【００４６】
〔プリンタ部209の構成(モノクロMFP105の場合)〕
図10に、モノクロプリンタ部の概観図を示す。1013は、ポリゴンミラーであり、4つの半導体レーザ805より発光されたレーザ光を受ける。レーザ光はミラー1014、1015、1016をへて感光ドラム1017を走査する。一方、1030は黒色のトナーを供給する現像器であり、レーザ光に従い、感光ドラム1017上にトナー像を形成し、トナー像がシートに転写され、出力画像を得ることができる。
【００４７】
シートカセット1034、1035および、手差しトレイ1036のいずれかより給紙されたシートは、レジストローラ1037を経て、転写ベルト1038上に吸着され、搬送される。給紙のタイミングと同期がとられて、予め感光ドラム1017にはトナーが現像されており、シートの搬送とともに、トナーがシートに転写される。トナーが転写されたシートは、分離され、定着器1040によって、トナーがシートに定着される。定着器1040を抜けたシートはフラッパ1050により一旦下方向へ導かれてシートの後端がフラッパ1050を抜けた後、スイッチバックさせて排出する。これによりフェイスダウン状態で排出され、先頭頁から順にプリントしたときに正しいページ順となる。
【００４８】
〔フィニッシャ部209の構成〕
図１１に、フィニッシャ部の概観図を示す。プリンタ部209の定着部940(または、1040)を出たシートは、フィニッシャ部209に入る。フィニッシャ部209には、サンプルトレイ1101及びスタックトレイ1102があり、ジョブの種類や排出されるシートの枚数に応じて切り替えて排出される。
【００４９】
ソート方式には２通りあり、複数のビンを有して各ビンに振り分けるビンソート方式と、後述の電子ソート機能とビン(または、トレイ)を奥手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００５０】
更に、スタックトレイ1102に排出する場合には、シートが排出される前のシートをジョブ毎に蓄えておき、排出する直前にステープラ1105にてバインドすることも可能である。
【００５１】
そのほか、上記２つのトレイに至るまでに、紙をＺ字状に折るためのＺ折り機1104、ファイル用の２つ(または３つ)の穴開けを行うパンチャ1106があり、ジョブの種類に応じてそれぞれの処理を行う。
【００５２】
更に、サドルステッチャ1107は、シートの中央部分を2ヶ所バインドした後に、シートの中央部分をローラに噛ませることによりシートを半折りし、週刊誌やパンフレットのようなブックレットを作成する処理を行う。サドルステッチャ1107で製本されたシートは、ブックレットトレイ1108に排出される。
【００５３】
そのほか、図には記載されていないが、製本のためのグルー(糊付け)によるバインドや、あるいはバインド後にバインド側と反対側の端面を揃えるためのトリム(裁断)などを加えることも可能である。
【００５４】
また、インサータ1103はトレイ1110にセットされたシートをプリンタへ通さずにトレイ1101、1102、1108のいずれかに送るためのものである。これによってフィニッシャ209に送り込まれるシートとシートの間にインサータ1103にセットされたシートをインサート（中差し）することができる。インサータ1103のトレイ1110にはユーザによりフェイスアップの状態でセットされるものとし、ピックアップローラ1111により最上部のシートから順に給送する。従って、インサータ1103からのシートはそのままトレイ1101、1102へ搬送することによりフェイスダウン状態で排出される。サドルステッチャ1107へ送るときには、一度パンチャ1106側へ送り込んだ後スイッチバックさせて送り込むことによりフェースの向きを合わせる。
【００５５】
〔ドキュメントサーバ102の構成〕
次に、図１２を用いてドキュメントサーバ102を説明する。
【００５６】
NIC111やSCSI114から入力されたジョブは、入力デバイス制御部1201よりサーバ内に入り、サーバに様々なクライアントアプリケーションと連結することにおいてその役割を果たす。入力としてPDLデータとJCL(Job Control Language)データを受け付ける。それはプリンタとサーバに関する状態情報で様々なクライアントに対応し、このモジュールの出力は、適切なPDLとJCLの構成要素すべてを結合する役割を持つ。
【００５７】
次に、入力ジョブ制御部1202はジョブの要求されたリストを管理し、サーバに提出される個々のジョブにアクセスするために、ジョブリストを作成する。更に、このモジュールには、ジョブのルートを決めるジョブルーティング、分割してRIPするか否かを司るジョブスプリット、そしてジョブの順序を決めるジョブスケジューリングの３つの機能がある。さらに入力されたＪＯＢの特性をPDLデータとJCL(Job Control Language)データから解析する。例えば,ＪＯＢの特性として、付加の大きいものであるのか？データは、文字データ主体であるか、画像データであるか、図形等であるのかを解析する。
【００５８】
データ変換部1204は、フォーマット変換を施す役割を果たし、それぞれのプリンタにマッチした最適な画像イメージタイプを選び出す。例えば、ジョブをページ単位で扱いたい場合には、TIFFやJPEGなどをPDFデータとして編集するなどの処理を行う。
【００５９】
出力ジョブ制御部1205は、ジョブのコマンド設定に基づいてどう扱われるのかを管理する。ページはプリンタに印刷されたり、ハードディスク1207にセーブされる。印刷後のジョブは、ハードサーバ1207に残すか否かは選択可能であり、セーブされた場合には、再呼び出しすることもできる。さらに、このモジュールはハードディスク1207とRAM1208との相互作用を管理する。
【００６０】
出力デバイス制御部1206は、どのデバイスに出力するか、またどのデバイスをクラスタリング(複数台接続して一斉にプリントすること)するかを司り、選択されたデバイスのインターフェイスカード112または113に送られる。また、このモジュールはデバイス104や105の状態監視と装置状況をドキュメントサーバ102に伝える役割も果たしている。
【００６１】
〔ページ記述言語(Page Description Language：以後PDLと略する。)〕
次にPDLデータについて説明する。ADOBE（登録商標）社のPostScript（登録商標）言語に代表されるPDLは、以下の３要素に分類される。
【００６２】
(a)文字コードによる画像記述
(b)図形コードによる画像記述
(c)ラスタ画像データによる画像記述
すなわち、PDLは、上記の要素を組み合わせで構成された画像を記述する言語であり、それで記述されたデータをPDLデータと呼ぶ。
【００６３】
図１３（ａ）は、文字情報R1301を記述した例である。L1311は、文字の色を指定する記述であり、カッコの中は順にCyan、Magenta、Yellow、Blackの濃度を表わしている。最小は0.0であり、最大は1.0である。L1311では、文字を黒にすることを指定する。次に、L1312は変数String1に文字列"IC"を代入している。次にL1313では、第1、第2パラメータが、文字列をレイアウトする用紙上の開始位置座標のx座標とy座標を示し、第3パラメータが文字の大きさ、第4パラメータが文字の間隔を示しており、第5パラメータがレイアウトすべき文字列を示している。要するにL1313は座標(0.0, 0.0)のところから、大きさ0.3、間隔0.1で文字列"IC"をレイアウトするという指示となる。
【００６４】
次に、図形情報R1302を記述した例では、L1321はL1311と同様、線の色を指定しており、ここでは、Cyanが指定されている。次に、L1322は、線を引くことを指定するためのものであり、第1、2パラメータが線の始端座標、第3、4パラメータが終端座標のそれぞれ、x、y座標である。第5パラメータは線の太さを示す。
【００６５】
さらに、ラスタ画像情報を記述した例では、L1331は、ラスタ画像を変数image1に代入している。ここで、第1パラメータはラスタ画像の画像タイプ、及び色成分数を表わし、第2パラメータは1色成分あたりのビット数を表わし、第3、第4パラメータは、ラスタ画像のx方向、y方向の画像サイズを表わす。第5パラメータ以降が、ラスタ画像データである。ラスタ画像データの個数は、１画素を構成する色成分数、及び、x方向、y方向の画像サイズの積となる。L1331では、CMYK画像は4つの色成分(Cyan、Magenta、Yellow、Black)から構成されるため、ラスタ画像データの個数は(4x5x5=)100個となる。次にL1332は、座標(0.0, 0.5)のところから、0.5x0.5の大きさにimage1をレイアウトすることを示している。
【００６６】
図１３（ｂ）は、1ページの中で上記３つの画像記述を解釈して、ラスタ画像データに展開した様子を示したものである。R1301, R1302, R1303はそれぞれのPDLデータを展開したものである。これらのラスタ画像データは、実際にはCMYK色成分毎にRAM1208(あるいは、ImageDisk1207)に展開されており、例えばR1301の部分は、各CMYKのRAM1208に、C=0、M=0、Y=0、K=255が書かれており、R1302の部分は、それぞれ、C=255, M=0, Y=0, K=0が書き込まれる。
【００６７】
ドキュメントサーバ102内では、クライアント103(あるいは、ドキュメントサーバ自身)から送られてきたPDLデータは、PDLデータのままか、上記のようにラスタ画像に展開された形で、RAM1208(あるいは、ImageDisk1207)に書き込まれ、必要に応じて保存されている。
【００６８】
［ネットワーク101］
さて次に、ネットワーク101について説明する。
【００６９】
ネットワーク101は図１４に示すように、前述の図１のような構成がルータと呼ばれるネットワークを相互に接続する装置により接続され、LAN(Local Area Network)と呼ばれる更なるネットワークを構成する。
【００７０】
また、LAN1406は、内部のルータ1401を介して、専用回線1408を通して、別のLAN1407内部のルータ1405に接続され、これらのネットワーク網は幾重にも張り巡らされて、広大な接続形態を構築している。
【００７１】
次に、その中を流れるデータについて図２８にて説明する。
【００７２】
送信元のデバイスＡ(1420a)に存在するデータ1421があり、そのデータは画像データでも、PDLデータでも、プログラムであっても構わない。これがネットワーク101を介して受信先のデバイスＢ(1420b)に転送する場合、データ1421を細分化しイメージ的に1422のように分割する。この分割されたデータ1423,1424,1426などに対して、ヘッダ1425と呼ばれる送り先アドレス(TCP/IPプロトコルを利用した場合には、送り先のIPアドレス)などを付加し、パケット1427として順次ネットワーク101上にパケットを送って行く。デバイスＢのアドレスとパケット1430のヘッダ1431が一致するとデータ1432は分離され、デバイスＡにあったデータの状態に再生される。
【００７３】
［スキャナドライバ］
次にスキャナドライバについて説明する。
【００７４】
図１５はコンピュータ102(または、103)上にて、スキャン動作を指示するためのスキャナドライバのGUI(Graphic User Interface)を示したものであり、これで指示することでユーザは所望の設定パラメータを指示して、所望の画像イメージをデータ化する事が可能となる。
【００７５】
まず、1501はスキャナドライバのウィンドウであり、その中の設定項目として、1502はターゲットとなる送信元を選択するソースデバイス選択カラムである。一般的には前述のスキャナ201のようなものであるが、メモリ108から画像を持ってきたり、あるいは、デジタルカメラのようなものからでも構わない。1503は選択されたソースデバイスに関する詳細設定を行うためのものであり、ここをクリックすると別画面にてそのデバイス固有の設定情報を入力し、特殊な画像処理(例えば、文字モード/写真モード)を選択して、それに合った処理モードで画像入力が可能となる。次に1504はイメージサイズを決める選択するイメージサイズカラム、1505で解像度を入力し、1506にてカラーモードを洗濯する。また、1507〜1509は画像エリアのサイズを決める部分であり、それぞれ単位と縦横の長さを入力する。
【００７６】
これらの指定を行った後、プリスキャンキー1512を押すと、コンピュータ102(または、103)より、ソースデバイス選択カラム1502で選択されたデバイスに指示がなされ、画像入力を開始する。ここでは、プリスキャンであるため実際の解像度より粗く画像読み取りが行われ、得られた画像はプレビュー画像として1511に表示される。表示に当たっては、先ほどの画像エリアの単位1507に従ってスケール1510表示される。
【００７７】
ここで、プレビュー画像でＯＫと判断した場合には、1513のスキャンキーをクリックすることにより、今度は設定された解像度にて行う。プレビュー画像がＮＧの場合には、再度プリスキャンを行って確かめ、キャンセルの場合には、キャンセルキー1514をクリックする。
【００７８】
［プリンタドライバ］
次に図１６を用いて、コンピュータ102(または、103)からプリンタドライバにより画像データをプリンタに送信する行程について説明する。プリンタドライバは、プリント動作を指示するためのGUIであり、これで指示することによりユーザは所望の設定パラメータを指示して、所望の画像イメージをプリンタなどの送信先に送る事が可能となる。
【００７９】
ここで1601はプリンタドライバのウィンドウであり、その中の設定項目として、1602はターゲットとなる出力先を選択する送信先選択カラムである。一般的には前述のMFP104,105あるいは、プリンタ107である。1603はジョブの中から出力ページを選択するページ設定カラムであり、コンピュータ102(または、103)上で動作するアプリケーションソフトで作成された画像イメージのどのページを出力するかを決定する。1604は部数を指定する部数設定カラム。また、1607は送信先選択カラム1602にて選択された送信先デバイスに関する詳細設定を行うためのプロパティキーであり、ここをクリックすると別画面にてそのデバイス固有の設定情報を入力し、特殊な画像処理、例えば、プリンタIP部207内のガンマ変換部702や空間フィルタ部703のパラメータを変更することにより、より細かい色再現やシャープネス調整を行うことが可能となる。
【００８０】
所望の設定が済めば、OKキー1605により印刷を開始する。取り消す場合には、キャンセルキー1606により印刷を取りやめる。
【００８１】
［ジョブサブミッタ］
図１７にてジョブサブミッタ1701の説明を行う。利用方法は前述のプリントドライバと同様だが、これはクライアント103上のファイルをドキュメントサーバ102に投げ込むツールであり、プリントドライバがクライアント103上のアプリケーションでデータを立上げて、そのデータをPS(またはPCL)などのフォーマットに変換してドキュメントサーバ102に投げ込むのに対して、ジョブサブミッタは、様々なフォーマットのデータを直接ドキュメントサーバ102に送付するためのものである。
【００８２】
設定項目として、1702はターゲットとなる出力先を選択する送信先選択カラムである。一般的には前述のMFP104,105あるいは、プリンタ107である。1705はジョブの中から出力ページを選択するページ設定カラムであり、コンピュータ102(または、103)内にある任意のファイルを選んでドキュメントサーバ102に投げ込むことが可能となる。更に、詳細設定を行うためには、プロパティキー1704があり、ここをクリックすると次項のジョブチケットメニューが現れる。所望の設定が済めば、OKキー1710によりジョブがドキュメントサーバ102に送信され、取り消す場合には、キャンセルキー1711により取りやめることができる。
【００８３】
［ジョブチケット］
次に、図１８にてジョブチケット1801の説明を行う。図１６のようなプリントドライバまたは、図１７のようなジョブサブミッタのプロパティキー(1607または、1704)をクリックすると、図１８のようなジョブチケット設定画面が現れる。
【００８４】
ジョブチケットは、MFP104,105あるいは、プリンタ107などのそれぞれ固有に有する機能をユーザが自由に選択する設定画面で、ターゲットとなる出力先1702に応じて別々の設定項目1802が表示される。その際にユーザは任意の設定項目1803を選択できる。
【００８５】
たとえば、Duplexの設定カラムには、ONとOFFが用意されており、ONにすれば両面印刷にてプリントされ、OFFにすれば片面印刷にてプリントされる。ただし、両面機能を有しないプリンタが選択された場合には、この項目そのものが表示されないしくみになっている。また、デフォルトの設定項目には頻度の高いものがあらかじめ設定されており、Duplexでは片面プリントの使用頻度が高いため、OFFがデフォルトに選ばれている。
【００８６】
また、ここで設定される項目は、フィニッシング機能だけでなく、画像処理のパラメータやコピー部数、紙サイズといったプリンタの基本機能も選択変更可能となっている。
【００８７】
そして所望の設定が済めば、OKキー1804によりジョブサブミッタの画面に戻り、取り消す場合には、キャンセルキー1805により取りやめる。
【００８８】
［デバイスステータス］
MFP104,105あるいはプリンタ107内のネットワークインターフェース部分にはMIB(Management Information Base)と呼ばれる標準化されたデータベースが構築されており、SNMP(Simple Network Management Protocol)というネットワーク管理プロトコルを介してネットワーク上のコンピュータと通信し、MFP104,105をはじめとして、ネットワーク上につながれたデバイスの状態をコンピュータ102(または、103)と必要な情報の交換が可能である。
【００８９】
例えば、MFP104,105の装備情報としてどんな機能を有するフィニッシャ210が接続されているかを検知したり、ステータス情報として現在エラーやジャムが起きていないか、プリント中かアイドル中かなど検知したり、MFP104,105の装備情報、装置の状態、ネットワークの設定、ジョブの経緯、使用状況の管理、制御などあらゆる静的情報を入手することが可能となる。
【００９０】
図１９は、デバイスステータスをあらわすユーティリティのGUI(Graphic User Interface)で、たとえば、MFP105aのタブ1902が選択された場合に、MFP105aのデバイスの装備情報がグラフィック1903であらわされ、1904,1905にて装置の状態が判断できる。また、1907の詳細表示キーにて装備情報などの詳細も知ることが可能である。
【００９１】
［ジョブステータス］
図２０にてジョブステータス2001を説明する。ジョブステータス画面は３つのステータスであらわされており、ドキュメントサーバ102内にあるジョブの状態を知るジョブステータス2002、プリンタに渡されたジョブの状況を知らせるプリントステータス2003、そして、終了したジョブの履歴を知らせるフィニッシュドジョブ2004である。
【００９２】
ジョブステータス2002は、Waiting(RIP前)または、Ripping(RIP中)で表現され、RIP後は、次のプリントステータスに渡される。
【００９３】
プリントステータス2003は、正常状態ではWaiting(Print待機中)または、Printing(Print中)で表現され、エラーやジャムが生じた場合には、その旨表示されユーザに知らせるプリント後は、次のフィニッシュドジョブに渡される。
【００９４】
フィニッシュドジョブ2004は、ジョブの履歴を見ることができ、正常終了の場合にはPrinted、途中キャンセル時にはCanceledが示される。
【００９５】
［ジョブマージツール］
図２１にてジョブマージツール2101を説明する。Import/Openキー2104で第1のファイルをコンピュータ102(または、103)内または、ネットワークに接続されたデバイスやフロッピー（登録商標）ディスクなどから読み出す。これがChapter-1であり、2102のように表示される。次に再びImport/Openキー2104を押して、第2のファイルを読み出す。これが第1のファイルChapter-1に付加される第2のファイルChapter-2であり、2103のように表示される。同様にして、いくつものファイルを順次付加して、Chapter-3,-4,-5...として付加していくことができる。
【００９６】
次に、Deleteキー2105はChapterやPageを削除したいときに用い、Editキー2106は、ヘッダ、フッタ、リナンバリングなどをつけたい場合に用いる。更に、Printキー2107はマージしたジョブをプリントする際にクリックし、クリックすると図１６のようなプリントドライバが起動し、プリントできる。
【００９７】
〔ジョブの分割〕
次にカラー画像と白黒画像が同一ジョブに混在する場合について図２２にて考える。このとき、ドキュメントサーバ102または、クライアント103内において、ドライバまたは、ジョブサブミッタのDestinationでプリンタをカラー/白黒のクラスタプリントに選択して、ジョブをドキュメントサーバ102に送くる。
【００９８】
送られてきたジョブはS2201で一旦スプールされ、S2202にてジョブのプライオリティなどを考慮して、処理順序が決定される。送られてきたジョブは、ジョブ指定S2203において、ジョブ全体がカラージョブか白黒ジョブかあらかじめManualに指定されていればS2214へ進む。さらにジョブ全体が白黒RIPを指示されていれば白黒MFP105への出力を選択、カラーならばカラーMFP104への出力を選択を行って、それぞれ白黒ジョブは白黒MFP105に出力され、カラージョブならばカラーMFP104にてプリントアウトされる。
【００９９】
一方、S2203にてAutoが指示された場合は、ページ指定があらかじめされていたか否か(S2204)で分岐し、Manualの場合はS2208に進む。S2208ではまず送られてきたジョブをページ単位でRIPできるようにページ単位で管理されているフォーマットに変換する。ここでは、たとえば、PDF(Portable Data Format)ファイルに変換する。次に、あらかじめページ単位で指定されていたとおりに白黒ページが指示されていたページは白黒MFP105への出力を選択を行い、カラーページが指示されていたページはカラーMFP104への出力を選択を行う。この作業をページエンドまで行って、ジョブ出力制御部S2206に進み、出力デバイス制御S2207を行って、白黒ページは白黒MFP105へ、カラーページはカラーMFP104にそれぞれ出力される。
【０１００】
〔クラスタリングプリント〕
クラスタリングプリントとは、１つのコントローラから複数台接続されたプリンタに一斉にプリントする方法であり、たとえば、図１のドキュメントサーバ102から４台の白黒MFP(105a〜105d)に、あるいは、カラーMFP104と白黒MFP105とに一斉にプリントするような動作である。
【０１０１】
上記のようにカラー/白黒が混在するジョブを分割し、それぞれカラー/白黒RIPが行われたジョブは、それぞれカラーMFP104と白黒MFP105へと出力デバイス制御部(図１２の1206)にて行き先が決められて、それぞれのプリンタにジョブが送られて出力される。
【０１０２】
このクラスタリングプリントは、白黒同士のクラスタ、カラー同士のクラスタ、カラー/白黒のクラスタプリンタあるいは、それぞれ複数台ずつある場合でもかまわない。
【０１０３】
〔ジョブスプリット〕
さらに、クラスタリングプリントを行う場合には、下記の3種類のデータ分割転送の方法がある。
【０１０４】
（ａ）ジョブ分割：ジョブ１をMFP105aへ、ジョブ２をMFP105bへといったように常にジョブがそれぞれのプリンタに対して均等になるように比較的Waitingジョブが少なくなるように空いているプリンタを見つけて転送していく、いわば負荷分散(ロードバランシング)を行う方法。
【０１０５】
（ｂ）部数分割：１つのジョブの部数をクラスタリングされたプリンタで均等分割する方法。(ただし、端数が出た場合には、いずれかのプリンタに端数を割り当てる。)
（ｃ）ページ分割：１つのジョブのページをクラスタリングされたプリンタで均等分割する方法。(ただし、端数が出た場合には、いずれかのプリンタに端数を割り当てる。)
〔ドキュメントサーバ〕
図２３のドキュメントサーバ102のハードウェアの構成は、CPUやメモリ、ＨＤなどが搭載されたマザーボード110と呼ばれる部分にPCIバスと呼ばれるインターフェイスで前述のNIC(Network Interface Card)111,112や、専用I/Fカード113、あるいは、SCSIカード114などが接続されている。
【０１０６】
ここで、図２３のような構成でシステムを組むとすると、ドキュメントサーバ102とプライベートネットワーク101bにはMFP(Multi  Function  Peripheral：マルチファンクション周辺機器)105(60ppm)及びプリンタ107(20ppm)が接続される。105はモノクロにてスキャン、プリントまたは、低解像度や２値の簡易的なカラースキャン、カラープリントなどを行うMFPである。107は、高画質なカラーＬＢＰである。
【０１０７】
図２３のようなシステム構成の場合、ドキュメントサーバ102には、図２４に示すようにＰｒｉｎｔＳｐｅｅｄ、画質の２つの指標に対して、PrintSpeedは、105,107の順、画質は、107,105の順で指標にたいする画像出力装置の順位が登録されている。
【０１０８】
コンピュータ103a,103b及び103cはドキュメントサーバにジョブを送るクライアントである。図示されていないがクライアントはこれらのほかにも多数接続されている。以下クライアントを代表して103と表記する。
【実施例２】
【０１０９】
図２３のようなシステム構成の場合、ドキュメントサーバ102には、図２４に示すようにＰｒｉｎｔＳｐｅｅｄ、画質の２つの指標に対して、PrintSpeedは、105,107の順、画質は、107,105の順で指標にたいする画像出力装置の順位が登録されている。
【０１１０】
この際、ユーザがこの指標に対する画像形成装置の順位付けを変更したい場合には、図２４の画面にて、変更したい指標を選択する。本例ではPrintSpeedを選択し、変更ボタンを押下すると、図２５の画面が表示され、画像形成装置を選択したのち矢印キーで、選択した画像形成装置が上下に移動可能となる。本操作で順位を変更し確定した後、決定キー押下で、その変更は保存され、戻るキーで、図２４の画面に復帰する。
【実施例３】
【０１１１】
図２３のシステム構成で、図２４のように指標に対する順位付けがなされた構成において、クライアントPC103よりプリントJOBを出力する場合に、クライアントPC103上の図１６のようなプリントドライバが起動され、各種ジョブチケットの設定がされる。さらにプリンタドライバは、図２６にように出力に関して優先する指標を選択可能である。
【０１１２】
〔JOB分配１〕
図２３の構成で、図２４の様な指標にたいする順位付けがドキュメントサーバ102に登録されていた場合に、クライアント103よりPRINTデータのジョブを送った場合の処理を以下に示す。
【０１１３】
クライアントPC103よりプリントJOBを出力する場合に、クライアントPC103上の図１６のようなプリントドライバが起動され、各種ジョブチケットの設定がされる。さらにプリンタドライバは、図２６にように出力に関して優先する指標を選択可能である。
【０１１４】
本例では、PrintSpeed優先が選択された場合を示す。
【０１１５】
クライアントPC１０３より、プリンタドライバを介して、出力データとジョブチケットがドキュメントサーバに転送される。前記ジョブチケットには、前記図２６の画面で選択された、PrintSpeed優先の情報が含まれる。
【０１１６】
ドキュメントサーバは、入力されたPDLデータとJCL(Job Control Language)データのジョブは、入力デバイス制御部1201よりサーバ内に入り、次に、入力ジョブ制御部1202はジョブの要求されたリストを管理し、サーバに提出される個々のジョブにアクセスするために、ジョブリストを作成する。更に、入力されたＪＯＢの特性をPDLデータとJCL(Job Control Language)データから解析する。入力されたデータがPrintSpeed優先であるため、PrintSpeedの指標に対して上位にあるMFP 105にプライベートネットワーク101bを介してJOBを送付する。
【実施例４】
【０１１７】
〔JOB分配２〕
図２３の構成で、図２４の様な指標にたいする順位付けがドキュメントサーバ102に登録されていた場合に、クライアント103よりPRINTデータのジョブを送った場合の処理を以下に示す。
【０１１８】
クライアントPC103よりプリントJOBを出力する場合に、クライアントPC103上の図１６のようなプリントドライバが起動され、各種ジョブチケットの設定がされる。さらにプリンタドライバは、図２６にように出力に関して優先する指標を選択可能である。
【０１１９】
本例では、画質優先が選択された場合を示す。
【０１２０】
クライアントPC１０３より、プリンタドライバを介して、出力データとジョブチケットがドキュメントサーバに転送される。前記ジョブチケットには、前記図２６の画面で選択された、画質優先の情報が含まれる。
【０１２１】
ドキュメントサーバは、入力されたPDLデータとJCL(Job Control Language)データのジョブは、入力デバイス制御部1201よりサーバ内に入り、次に、入力ジョブ制御部1202はジョブの要求されたリストを管理し、サーバに提出される個々のジョブにアクセスするために、ジョブリストを作成する。更に、入力されたＪＯＢの特性をPDLデータとJCL(Job Control Language)データから解析する。入力されたデータが画質優先であるため、画質の指標に対して上位にあるプリンタ107にプライベートネットワーク101bを介してJOBを送付する。
【図面の簡単な説明】
【０１２２】
【図１】本発明の実施形態のシステム全体を示す図。
【図２】画像形成装置全体のブロック図。
【図３】画像形成装置のスキャナ部を示す図。
【図４】画像形成装置のIP部のブロック図。
【図５】画像形成装置のFAX部のブロック図。
【図６】（ａ）は画像形成装置のNIC部のブロック図、（ｂ）は画像形成装置のコア部のブロック図。
【図７】（ａ）はカラー画像形成装置のプリンタIP部を示す図、（ｂ）は白黒画像形成装置のプリンタIP部を示す図。
【図８】画像形成装置のPWM部のブロック図。
【図９】カラー画像形成装置のプリンタ部を示す図。
【図１０】白黒画像形成装置のプリンタ部を示す図。
【図１１】画像形成装置のフィニッシャ部を示す図。
【図１２】本発明のドキュメントサーバ内部のジョブフロー。
【図１３】（ａ）はPDLデータの記述例、（ｂ）はPDLデータのラスタ展開後を示す図。
【図１４】ネットワーク環境を示す図。
【図１５】スキャナドライバの画面例を示す図。
【図１６】プリンタドライバの画面例を示す図。
【図１７】ジョブサブミッタの画面例を示す図。
【図１８】ジョブチケットの画面例を示す図。
【図１９】デバイスステータスの画面例を示す図。
【図２０】ジョブステータスの画面例を示す図。
【図２１】ジョブマージツールの画面例を示す図。
【図２２】カラー/白黒混在ジョブ分割のフローチャート。
【図２３】実施例のシステム全体を示す図。
【図２４】各指標の設定と表示画面
【図２５】指標に対する画像形成装置の順位つけ変更画面
【図２６】プリンタドライバにおける指標優先順位選択画面
【図２７】従来例のシステム全体を示す図。
【図２８】ネットワークデータ転送を示す図。
【符号の説明】
【０１２３】
１０１  ネットワーク
１０２  ドキュメントサーバコンピュータ
１０３  クライアントコンピュータ
１０４  カラーＭＦＰ
１０５  白黒ＭＦＰ
【図１】
2007026175.tif 000003
【図２】
2007026175.tif 000004
【図３】
2007026175.tif 000005
【図４】
2007026175.tif 000006
【図５】
2007026175.tif 000007
【図６】
2007026175.tif 000008
【図７】
2007026175.tif 000009
【図８】
2007026175.tif 000010
【図９】
2007026175.tif 000011
【図１０】
2007026175.tif 000012
【図１１】
2007026175.tif 000013
【図１２】
2007026175.tif 000014
【図１３】
2007026175.tif 000015
【図１４】
2007026175.tif 000016
【図１５】
2007026175.tif 000017
【図１６】
2007026175.tif 000018
【図１７】
2007026175.tif 000019
【図１８】
2007026175.tif 000020
【図１９】
2007026175.tif 000021
【図２０】
2007026175.tif 000022
【図２１】
2007026175.tif 000023
【図２２】
2007026175.tif 000024
【図２３】
2007026175.tif 000025
【図２４】
2007026175.tif 000026
【図２５】
2007026175.tif 000027
【図２６】
2007026175.tif 000028
【図２７】
2007026175.tif 000029
【図２８】
2007026175.tif 000030